【手続補正書】
【提出日】平成19年1月10日(2007.1.10)
【手続補正１】
【補正対象書類名】明細書
【補正対象項目名】特許請求の範囲
【補正方法】変更
【補正の内容】
【特許請求の範囲】
【請求項１】  式（Ｉ）、（III）又は（IV）：
【化１】
2000212170.tif 000001
（式中、
Ｇ1は、水素又はクロロであり、  Ｇ2は、１〜１２個の炭素原子のペルフルオロアルキル又はフルオロであり、  Ｇ6は、１〜１２個の炭素原子のペルフルオロであり、  Ｇ7は、水素又は１〜１２個の炭素原子のペルフルオロアルキルであり、  Ｅ1は、水素、１〜２４個の炭素原子の直鎖若しくは分岐鎖アルキル、２〜２４個の炭素原子の直鎖若しくは分岐鎖アルケニル、５〜１２個の炭素原子のシクロアルキル、７〜１５個の炭素原子のフェニルアルキル、若しくはフェニル、又は該フェニル若しくは該フェニルアルキル（これらは、フェニル環が１〜４個の炭素原子のアルキル基の１〜４個により置換されている）であるか；あるいはＥ1は、１又は２個のヒドロキシ基により置換されている１〜２４個の炭素原子のアルキルであり、
Ｅ2及びＥ2′は、独立して、１〜２４個の炭素原子の直鎖若しくは分岐鎖アルキル、２〜１８個の炭素原子の直鎖若しくは分岐鎖アルケニル、５〜１２個の炭素原子のシクロアルキル、７〜１５個の炭素原子のフェニルアルキル、若しくはフェニル、又は該フェニル若しくは該フェニルアルキル（これらは、フェニル環が１〜４個の炭素原子のアルキル基の１〜３個により置換されている）であるか；あるいはＥ2及びＥ2′は、独立して、１〜２４個の炭素原子の該アルキル、又は２〜１８個の炭素原子の該アルケニル（これらは、−ＯＨ、−ＯＣＯＥ11、−ＯＥ4、−ＮＣＯ、−ＮＨ2、−ＮＨＣＯＥ11、−ＮＨＥ4若しくは−Ｎ（Ｅ4）2又はそれらの混合物（ここで、Ｅ4は、１〜２４個の炭素原子の直鎖若しくは分岐鎖アルキルである）の一つ以上で置換されている）であるか；あるいは該アルキル又は該アルケニル（これらは、−Ｏ−、−ＮＨ−若しくは−ＮＥ4−基又はそれらの混合物の一つ以上により中断されており、かつ非置換であるか、あるいは−ＯＨ、−ＯＥ4若しくは−ＮＨ2基又はそれらの混合物の、一つ以上により置換されていることができる）であり；
ｎは、１又は２であり、
ｎが１であるとき、Ｅ5は、ＯＥ6若しくはＮＥ7Ｅ8であるか、あるいは
Ｅ5は、−ＰＯ（ＯＥ12）2、−ＯＳｉ（ＯＥ11）3若しくは−ＯＣＯ−ＯＥ11であるか、又は
直鎖若しくは分岐鎖Ｃ1−Ｃ24アルキル（これは、−Ｏ−、−Ｓ−又は−ＮＥ11−で中断されており、かつ非置換であるか、又は−ＯＨ若しくは−ＯＣＯＥ11で置換されていることができる）、Ｃ5−Ｃ12シクロアルキル（これは、非置換であるか、又は−ＯＨで置換されている）、直鎖若しくは分岐鎖Ｃ2−Ｃ18アルケニル（これは、非置換であるか、又は−ＯＨ、Ｃ7−Ｃ15アラルキル、−ＣＨ2−ＣＨＯＨ−Ｅ13若しくはグリシジルにより置換されている）であり、
Ｅ6は、水素、直鎖若しくは分岐鎖Ｃ1−Ｃ24アルキル（これは、非置換であるか、又は−Ｏ−、−ＯＥ4若しくはＮＨ2基の、一つ以上で置換されている）であるか、あるいは
−ＯＥ6は、−(ＯＣＨ2ＣＨ2)wＯＨ又は−(ＯＣＨ2ＣＨ2)wＯＥ21（ここで、ｗは、１〜１２であり、そしてＥ21は、１〜１２個の炭素原子のアルキルである）であり、
Ｅ7及びＥ8は、独立して、水素、１〜１８個の炭素原子のアルキル、直鎖若しくは分岐鎖Ｃ3−Ｃ18アルキル（これは、−Ｏ−、−Ｓ−若しくは−ＮＥ11−で中断されている）、Ｃ5−Ｃ12シクロアルキル、Ｃ6−Ｃ14アリール又はＣ1−Ｃ3ヒドロキシルアルキルであるか、あるいは、
Ｅ7とＥ8は、Ｎ原子と一緒になって、ピロリジン、ピペリジン、ピペラジン又はモルホリン環であり、
Ｅ5は、−Ｘ−(Ｚ)p−Ｙ−Ｅ15であり、ここで、
Ｘは、−Ｏ−又は−Ｎ(Ｅ16)−であり、
Ｙは、−Ｏ−又は−Ｎ(Ｅ17)−であり、
Ｚは、Ｃ2−Ｃ12−アルキレン若しくはＣ4−Ｃ12−アルキレン（これは、窒素原子、酸素原子又はその混合物の、１〜３個により中断されている）であるか、又はそれぞれヒドロキシル基で置換されている、Ｃ3−Ｃ12−アルキレン、ブテニレン、ブチニレン、シクロヘキシレン若しくはフェニレンであり、
ｍは、ゼロ、１又は２であり、
ｐは、１であるか、又は
Ｘ及びＹがそれぞれ−Ｎ(Ｅ16)−及び−Ｎ(Ｅ17)−であるとき、ｐは、またゼロでもあり、
Ｅ15は、基−ＣＯ−Ｃ(Ｅ18)＝Ｃ(Ｈ)Ｅ19であるか、又は、
Ｙが−Ｎ(Ｅ17)−であるとき、Ｅ17と一緒になって、基−ＣＯ−ＣＨ=ＣＨ−ＣＯ−（ここで、Ｅ18は、水素又はメチルであり、そしてＥ19は、水素、メチル又はＣＯ−Ｘ−Ｅ20（ここで、Ｅ20は、水素、Ｃ1−Ｃ12−アルキル又下記式：
【化２】
2000212170.tif 000002
（式中、
記号Ｅ1、Ｇ2、Ｘ、Ｚ、ｍ及びｐは、上記と同義である）の基である）の基であり、そして
Ｅ16及びＥ17は、互いに独立して、水素、Ｃ1−Ｃ12−アルキル若しくは１〜３個の酸素原子により中断されるているＣ3−Ｃ12−アルキルであるか、又はシクロヘキシル若しくはＣ7−Ｃ15アラルキルであり、そしてＺがエチレンである場合には、Ｅ16は、Ｅ17と一緒になって、またエチレンを形成し、
ｎが２であるとき、Ｅ5は、二価基−Ｏ−Ｅ9−Ｏ−又は−Ｎ(Ｅ11)−Ｅ10−Ｎ(Ｅ11)−の一つであり、
Ｅ9は、Ｃ2−Ｃ8アルキレン、Ｃ4−Ｃ8アルケニレン、Ｃ4−Ｃ8アルキニレン、シクロヘキシレン、直鎖若しくは分岐鎖Ｃ4−Ｃ10アルキレン（これは、−Ｏ−によるか、又は−ＣＨ2−ＣＨＯＨ−ＣＨ2−Ｏ−Ｅ14−Ｏ−ＣＨ2−ＣＨＯＨ−ＣＨ2−により中断されている）であり、
Ｅ10は、直鎖若しくは分岐鎖Ｃ2−Ｃ12アルキレン（これは、−Ｏ−により中断されていてもよい）、シクロヘキシレン、又は下記式：
【化３】
2000212170.tif 000003
のいずれかの基であるか、あるいは
Ｅ10とＥ11は、２つの窒素原子と一緒になって、ピペラジン環を形成し、
Ｅ14は、直鎖若しくは分岐鎖Ｃ2−Ｃ8アルキレン、直鎖若しくは分岐鎖Ｃ4−Ｃ10アルキレン（これは、−Ｏ−により中断されている）、シクロアルキレン、アリーレン又は下記式：
【化４】
2000212170.tif 000004
のいずれかの基であり、ここで、
Ｅ7とＥ8は、独立して、水素、若しくは１〜１８個の炭素原子のアルキルであるか、又はＥ7とＥ8は、一緒になって、４〜６個の炭素原子のアルキレン、３−オキサペンタメチレン、３−イミノペンタメチレン若しくは３−メチルイミノペンタメチレンであり、
Ｅ11は、水素、直鎖若しくは分岐鎖Ｃ1−Ｃ18アルキル、Ｃ5−Ｃ12Ｃシクロアルキル、直鎖若しくは分岐鎖Ｃ2−Ｃ18アルケニル、Ｃ6−Ｃ14アリール又はＣ7−Ｃ15アラルキルであり、
Ｅ12は、直鎖若しくは分岐鎖Ｃ1−Ｃ18アルキル、直鎖若しくは分岐鎖Ｃ3−Ｃ18アルケニル、Ｃ5−Ｃ10シクロアルキル、Ｃ6−Ｃ16アリール又はＣ7−Ｃ15アラルキルであり、
Ｅ13は、Ｈ、直鎖若しくは分岐鎖Ｃ1−Ｃ18アルキル（これは、−ＰＯ(ＯＲ12)2により置換されている）、フェニル（これは、非置換であるか、又はＯＨにより置換されている）、Ｃ7−Ｃ15アラルキル又は−ＣＨ2ＯＥ12であり、
Ｌは、１〜１２個の炭素原子のアルキレン、２〜１２個の炭素原子のアルキリデン、ベンジリデン、ｐ−キシリレン、α，α、α′，α′−テトラメチル−ｍ−キシリレン又はシクロアルキリデンであるが、但し
式（Ｉ）において、Ｅ1がフェニルであり、かつＥ2がtert−オクチルであるか、又はＥ1がα−クミルであり、かつＥ2がα−クミル、tert−ブチル、tert−オクチル、ノニル又はドデシルであるか、又はＥ1が水素であり、かつＥ2がtert−オクチル又はメチルであるならば、Ｇ2は、ＣＦ3ではなく；そしてＥ2がメチルであり、かつＥ1がtert−ブチルであるか；又はＥ2がtert−オクチルであり、かつＥ1がフェニル又はα−クミルであるならば、Ｇ2は、フルオロではなく；そして
式（IV）において、Ｇ6及びＧ7がＣＦ3であるとき、Ｅ2及びＥ2′は、同じではない）で示される化合物。
【請求項２】  熱、酸化又は光−誘発劣化に対する安定化組成物であって、
（ａ）熱、酸化又は光−誘発劣化を受ける有機材料
及び
（ｂ）請求項１記載の式（Ｉ）、（III）又は（IV）の化合物の安定化有効量を含むことを特徴とする組成物。
【請求項３】  ベンゾトリアゾ−ル化合物、ｓ−トリアジン化合物、ヒドロキシベンゾフェノン化合物、α−シアノアクリラート化合物、オキザリニド化合物及びベンゾアート化合物からなる群から選択される他のＵＶ吸収剤の少なくとも１種の安定化有効量を更に含む、請求項２記載の組成物。
【請求項４】  ヒンダ−ドアミンの安定化有効量を含む、請求項２記載の組成物。
【請求項５】  熱、酸化又は光−誘発劣化に対して、有機材料を安定化するための、請求項１記載の、（Ｉ）、（III）又は（IV）の化合物の使用。
【手続補正２】
【補正対象書類名】明細書
【補正対象項目名】００９９
【補正方法】変更
【補正の内容】
【００９９】
ポリマーが、ポリエステルならば、ポリ（エチレンテレフタラート）ＰＥＴ、ポリ（ブチレンテレフタラート）ＰＢＴ又はポリ（エチレン２，６−ナフタレンジカルボキラート）ＰＥＮが特に好適である。
好適には、有機材料は被覆である。